(57)【要約】    【課題】  本考案は、ろうそく支持部の清掃作業を容易に行うことができ、また、清掃作業後、確実にろうそくを立てることができるろうそく立てを提供することを目的とする。    【解決手段】  ろうそく支持部材４は、差込ピン部４１と円筒保持部４２と載置部４３とによって構成されるが、このうち円筒保持部４２は螺合係合とすることで着脱自在としている。すなわち、差込ピン部４１の基端部４１ａに雄ネジ溝を形成し、その雄ネジ溝と螺合係合する雌ネジ溝（図示せず）を円筒保持部４２側に形成することで、螺合係合部４４を構成し、円筒保持部４２を着脱自在としている。  【選択図】    図５
0003102269.tif 000002
【実用新案登録請求の範囲】
【請求項１】
筒状のろうそく立て内にろうそくを立てて、該ろうそくを点灯させるろうそく立てであって、
前記ろうそく立て内の下部に設けられ、前記ろうそくの下部を差込固定する針状固定部と、
該針状固定部の周囲に設けられ、ろうそくの下部外周を保持する筒状保持部とを有し、
該筒状保持部を前記針状固定部に対して着脱自在に固定する着脱固定部を設けた
ろうそく立て。
【請求項２】
前記着脱固定部を、筒状保持部と針状固定部に形成した螺合係合部で構成した
請求項１記載のろうそく立て。
【請求項３】
前記ろうそく立ての下部には、外気を導入する外気導入口を、径方向に約１２０°間隔で３箇所設け、
該外気導入口の上方に前記針状固定部を設けた
請求項１又は２記載のろうそく立て。
【請求項４】
前記ろうそく立ての上部には、ろうそくの炎によって暖められた空気を排出する排出口を設け、
該排出口を閉鎖することでろうそくの炎を消火する蓋部材を設けた
請求項１、２又は３記載のろうそく立て。
【請求項５】
前記ろうそく立てを透明の筒状部材で構成すると共に、
該透明の筒状部材の下部にショットピーニングによるスモーク部を形成した
請求項１〜４いずれかに記載のろうそく立て。
【考案の詳細な説明】
【技術分野】
【０００１】
この考案は、仏壇や神棚などの仏前や神前でろうそくを点灯させるろうそく立て、特にろうそくの炎が風などで消えないように構成したろうそく立てに関する。
【背景技術】
【０００２】
従来、ろうそくの炎が、風などの影響により消えないようにするため、透明の筒部材等の内部でろうそくを点灯させるろうそく立てが知られている。
【０００３】
このようなろうそく立ての一例として、下記特許文献１には、透明の筒状のろうそく立て内部にろうそくを立て、そのろうそく立てに設けた開閉扉の開閉動作と連動してろうそくを支持する受け皿を外部に移動させるものが提案されている。
【０００４】
【特許文献１】特開２０００−１５６１８号公報。
【考案の開示】
【考案が解決しようとする課題】
【０００５】
ところで、一般に、ろうそくはその燃焼に伴いロウが溶けて滴下し、その滴下したロウは再度その下部で凝固する。
【０００６】
こうして凝固したロウがろうそくを支持する支持部に大量に固着すると、ろうそくを再度立てるのが困難になるため、ある程度の量が固着すると支持部を清掃する必要がある。
【０００７】
前述の特許文献１で提案されたろうそく立てにおいても、こうしたロウの固着がろうそくの受け皿部分で生じるため、当然清掃する必要があるが、この特許文献１に記載されたろうそく立てでは、ろうそく下部を差し込む針（ピン）の周りに、コイルバネを配置することでろうそく下部を支持しているため、このコイルバネに固着したロウを剥がす必要がある。
【０００８】
このようにコイルバネで支持部を構成した場合、コイルバネに固着したロウを剥がす作業が必要となるが、この作業は狭い場所での細かい作業で作業性が悪く、また、コイルバネという性質上、その形状が容易に変形してしまい、再度ろうそくを立てることが難しくなるといった問題がある。
【０００９】
そこで、本考案は、ろうそく支持部の清掃作業を容易に行うことができ、また、清掃作業後、確実にろうそくを立てることができるろうそく立てを提供することを目的とする。
【課題を解決するための手段】
【００１０】
本考案は、筒状のろうそく立て内にろうそくを立てて、該ろうそくを点灯させるろうそく立てであって、前記ろうそく立て内の下部に設けられ、前記ろうそくの下部を差込固定する針状固定部と、該針状固定部の周囲に設けられ、ろうそくの下部外周を保持する筒状保持部とを有し、該筒状保持部を前記針状固定部に対して着脱自在に固定する着脱固定部を設けたものである。
【００１１】
上記構成によれば、ろうそく下部を針状固定部と筒状保持部で支持することになり、その針状固定部と筒状保持部を着脱固定部によって着脱自在に固定している。
【００１２】
すなわち、針状固定部と筒状保持部とが着脱自在となっているため、筒状保持部のみを取り外して、ロウを剥がす作業を行うことができる。
【００１３】
また、ろうそく下部を保持するのが筒状保持部であるため、コイルバネよりも剛性を高くでき、ロウを剥がす際の保持部の変形を抑えることができる。
【００１４】
この考案の一実施態様においては、前記着脱固定部を、筒状保持部と針状固定部に形成した螺合係合部で構成したものである。
【００１５】
上記構成によれば、着脱固定部を螺合係合としたため、筒状保持部と針状固定部の着脱作業を、筒状保持部を回転させるという簡便な作業により行うことができる。よって、固着したロウを剥がすという清掃作業をより簡単に行うことができる。
【００１６】
この考案の一実施態様においては、前記ろうそく立ての下部には、外気（外部の空気）を導入する外気導入口を、径方向に約１２０°間隔で３箇所設け、該外気導入口を前記針状固定部の下部に設けたものである。
【００１７】
上記構成によれば、外気の導入を行う外気導入口を、径方向に約１２０°間隔で３箇所設けることで、バランスよく外気が導入されるため、ろうそくが安定して燃焼する。また、この外気導入口を針状固定部の下部に設けることで、ろうそくに対する外気がろうそく下部よりも下方から導入されるため、ろうそくを最後まで燃焼させることができる。
【００１８】
この考案の一実施態様においては、前記ろうそく立ての上部には、ろうそくの炎によって暖められた空気を排出する排出口を設け、該排出口を閉鎖することでろうそくの炎を消火する蓋部材を設けたものである。
【００１９】
上記構成によれば、ろうそく立ての上部に設けた排出口からろうそくで暖められた空気が排出されるため、ろうそく立てが煙突効果を持つことになり、ろうそくを適切に燃焼させることができ、またその排出口を閉鎖する蓋部材を設けることで、その空気の流れを遮断して、簡単にろうそくの炎を消火することができる。
【００２０】
この考案の一実施態様においては、前記ろうそく立てを透明の筒状部材で構成すると共に、該透明の筒状部材の下部にショットピーニングによるスモーク部を形成したものである。
【００２１】
上記構成によれば、スモーク部を設けたことにより、ろうそくの炎の輝きが一段と美しく見え、また、前記針状固定部等を隠すことができるため、ろうそくと炎だけが見え、すっきり感を感じさせることができる。
【００２２】
なお、このスモーク部は、筒状部材の下側３割ぐらいに形成することが望ましい。
【考案の効果】
【００２３】
この考案によれば、針状固定部と筒状保持部とは着脱自在となっているため、筒状保持部のみを取り外して、ロウを剥がす作業を行うことができる。また、ろうそく下部を保持するのが筒状保持部であるため、コイルバネよりも剛性を高くでき、ロウを剥がす作業の際の保持部の変形を抑えることができる。
【００２４】
よって、本考案のろうそく立てによれば、ろうそく支持部の清掃作業を容易に行うことができ、また、清掃作業後、確実にろうそくを立てることができる。
【考案を実施するための最良の形態】
【００２５】
この考案の一実施形態を、以下図面を用いて説明する。  
図１は本実施形態のろうそく立ての全体を示す正面図で、図２はその断面図、図３はろうそく立て下部の一部断面とされた詳細構造図、図４はろうそく立て下部の平面図である。
【００２６】
本実施形態のろうそく立て１は、下端に設けた台座部材２と、該台座部材２の上に設置した筒状部材３と、該筒状部材３の内部で台座部材２に載置したろうそく支持部材４と、筒状部材３の上端に設置した蓋部材５とで構成している。
【００２７】
前述の台座部材２は、金属製の円柱状部材で構成され、内部を図２に示すように棚状に形成するとともに、その内部で上部と下部が連通するように形成している。
【００２８】
また、この台座部材２の側面には、径方向に開口した外気導入口２１を形成し、外部と台座部材２内部を連通している。この外気導入口２１は、図４に示すように１２０°間隔で３箇所形成され、台座部材２内部に外部の空気（以下、外気）を三方から適切に導入している。この外気導入口２１の直径を約１３ｍｍに設定することでろうそくＣの燃焼に適切な量の外気を導入している。
【００２９】
前述の筒状部材３は、図２に示すように、下部に金属製の円筒部材３１、中間部に耐火ガラス製の透明円筒部材３２、上部に金属製の傘状部材３３をそれぞれ設け、各部材間を固着固定して一体化することで、一つの長い筒形状を構成している。すなわち、この筒状部材３を、上部から下部まで一本の長い筒とすることで、所謂煙突効果を得やすい構造に構成している。
【００３０】
また、中間部の透明円筒部材３２の下部表面には、図１に示すようにショットピーニングによるスモーク部３２ａを形成している。このスモーク部の範囲は、透明円筒部材３２の下側約３割程度に設定している。
【００３１】
このスモーク部３２ａを形成することで、ろうそくの炎が一段と美しく見え、また、前述のろうそく支持部材４がスモーク部によって隠れるため、ろうそくと炎だけが見え、すっきり感を感じさせることができる。
ろうそくＣの炎が、一段とその周囲をほのかに照らすように構成している。
【００３２】
前述のろうそく支持部材４は、図３に示すように上方に立設する差込ピン部４１と、その周囲を取り囲むように配置する筒状保持部４２と、これらを台座部材２上に載置する載置部４３と、からなり、ろうそくＣの下部を差込ピン部４１に差し込み、そのろうそくＣの外周を筒状保持部４２で保持することにより、ろうそくＣを支持するように構成している。
【００３３】
また、このろうそく支持部材４は、前述の台座部材２の内部に嵌合載置され、容易に台座部材２から着脱できるように構成している。
【００３４】
図３に示すように、ろうそく支持部材４は、その載置部４３を鍔部４３ａと円筒嵌合部４３ｂとで構成し、鍔部４３ａを台座部材２の棚部２２に係合するとともに、円筒嵌合部４３ｂを台座部材２の凹部２３に嵌合することで、台座部材２に嵌合載置する。すなわち、ろうそく支持部材４を台座部材２の凹部２３に嵌め込んで鍔部４３ａを棚部２２に係止するという簡易な作業だけで、台座部材２にろうそく支持部材４を嵌合載置することができる。
【００３５】
また、このろうそく支持部材４の載置位置は、前述の外気導入口２１より上方位置に設定されており、外気は常にろうそくＣの下方から導入されることになる。これにより、ろうそくＣを最後まで燃焼させることができる。
【００３６】
さらに、台座部材２の棚部２２の外周端には、上方に立設するフランジ２４が設けられ、そのフランジ２４の内側に筒状部材３の下端を嵌め込むことで（図２参照）、外気が外気導入口２１以外から筒状部材３内に侵入するのを防いでいる。
【００３７】
図５に、ろうそく支持部材４の詳細構造を示す。（ａ）がろうそく支持部材４の平面図、（ｂ）がろうそく支持部材４の一部を切欠いた正面図である。
【００３８】
ろうそく支持部材４は、前述のように差込ピン部４１と円筒保持部４２と載置部４３とによって構成されるが、このうち円筒保持部４２は螺合係合とすることで着脱自在としている。すなわち、差込ピン部４１の基端部４１ａに雄ネジ溝を形成し、その雄ネジ溝と螺合係合する雌ネジ溝（図示せず）を円筒保持部４２側に形成することで、螺合係合部４４を構成し、円筒保持部４２を着脱自在としている。
【００３９】
このように、円筒保持部４２を着脱自在に構成することで、円筒保持部４２と差込ピン部４１との間に滴下して固着したロウ（図示せず）を清掃する場合には、円筒保持部４２を取り外した上で、容易に清掃することができる。すなわち、円筒保持部４２を取り外した状態で、差込ピン部４１周りや、円筒保持部４２周りに固着したロウを剥がすという清掃作業を容易に行うことができる。
【００４０】
また、円筒保持部４２は、金属製の筒部材で構成されるため、コイルバネのように容易に変形することなく、清掃作業も、変形のおそれを気にすることなく、簡単且つ確実に行うことができる。
【００４１】
さらに、円筒保持部４２の着脱を螺合係合としたため、円筒保持部４２を回転させるという簡易な作業で、清掃の前作業も容易に行うことができる。
【００４２】
なお、この着脱自在の構成としては、クリップやスナップ機構など弾性体を用いて係止する構造や、磁石などを用いて磁力で固定する構造などにしてもよい。
【００４３】
前述の蓋部材５は、図２に示すように、円柱状の取っ手部５１と、円板状の閉鎖部５２と、傘状部材３３の排出口３３ａに嵌合する嵌合部５３とから構成される。
【００４４】
この蓋部材５は、傘状部材３３の排出口３３ａを封鎖する閉鎖位置（二点鎖線で示した状態）と、排出口３３ａを開放する開放位置（実線で示した状態）とのいずれかに配置され、ろうそくＣの燃焼状態に応じて配置位置を決定している。
【００４５】
すなわち、ろうそくＣを点灯させている状態では、空気の流れを遮断させないため、開放位置に配置している。一方、ろうそくＣを点灯しない時や炎を消したい場合には、空気の流れを遮断してろうそくＣの炎を消すため、閉鎖位置に配置している。
【００４６】
次に、このように構成した本実施態様のろうそく立ての空気流動について、図２を用いて説明する。
【００４７】
この図に示す矢印が、ろうそく燃焼時における空気の流れである。すなわち、ろうそくＣが燃焼することにより、筒状部材３内の空気は上昇して、筒状部材３内で上昇気流が発生する。このように上昇気流が発生した筒状部材３内では、所謂煙突効果が発生して、下方から上方に向かって空気の流動が促進される。
【００４８】
よって、空気の流動は、外気が負圧の生じた前述の外気導入口２１からろうそく立て１内に導入され、その導入された空気がろうそく支持部材４の下側側方の三方からろうそくＣに向かって上昇し、その上昇した空気がろうそくＣの燃焼を向上させ、その燃焼後の空気が前述の排出口３３ａから外部に排出される、という経路で行われる。
【００４９】
もっとも、こうした空気の流動は、前述の蓋部材５によって排出口３３ａを閉鎖することで遮断されるため、ろうそくＣの炎を消火したい場合には、蓋部材を排出口３３ａに置くという簡単な作業で消火することができる。
【００５０】
次に、以上のように構成したこの実施態様のろうそく立ての作用及び効果について、詳述する。
【００５１】
このように本実施形態のろうそく立ては、筒状のろうそく立て１内にろうそくＣを立てて、該ろうそくＣを点灯させるろうそく立てであって、前記ろうそく立て１内の下部に設けられ、前記ろうそくＣの下部を差込固定する差込ピン部４１と、該差込ピン部４１の周囲に設けられ、ろうそくＣの下部外周を保持する円筒保持部４２とを有し、該円筒保持部４２を前記差込ピン部４１に対して着脱自在に固定する螺合係合部４４を設けたものである。
【００５２】
上記構成によれば、ろうそくＣ下部を差込ピン部４１と円筒保持部４２で支持することになり、その差込ピン部４１と円筒保持部４２を螺合係合部４４によって着脱自在に固定している。
【００５３】
すなわち、差込ピン部４１と円筒保持部４２とが着脱自在となっているため、筒状保持部４２のみを取り外して、ロウを剥がす作業を行うことができる。
【００５４】
また、ろうそくＣ下部を保持するのが円筒保持部４２であるため、コイルバネよりも剛性を高くでき、ロウを剥がす際の保持部の変形を抑えることができる。
【００５５】
よって、本実施形態のろうそく立て１によれば、ろうそく支持部材４の清掃作業を容易に行うことができ、また、清掃作業後、確実にろうそくＣを立てることができる。
【００５６】
また、この実施態様では、円筒保持部４２を着脱自在に固定する着脱固定部を螺合係合部４４で構成したものである。
【００５７】
上記構成によれば、着脱固定部を螺合係合としたため、円筒保持部４２と差込ピン部４１の着脱作業を、円筒保持部４２を回転させるという簡便な作業により行うことができる。よって、固着したロウを剥がすという清掃作業をより簡単に行うことができる。
【００５８】
また、この実施態様では、前記ろうそく立て１の下部には、外気を導入する外気導入口２１を、径方向に約１２０°間隔で３箇所設け、該外気導入口２１を前記差込ピン部４１の下方に設けたものである。
【００５９】
上記構成によれば、外気の導入を行う外気導入口２１を、径方向に約１２０°間隔で３箇所設けることで、バランスよく外気が導入されるため、ろうそくＣが安定して燃焼する。また、この外気導入口２１を差込ピン部４１の下方に設けることで、ろうそくＣに対する外気がろうそくＣ下端よりも下方から導入されるため、ろうそくＣを最後まで燃焼させることができる。
【００６０】
また、この実施態様では、前記ろうそく立て１の上部には、ろうそくＣの炎によって暖められた空気を排出する排出口３３ａを設け、該排出口３３ａを閉鎖することでろうそくＣの炎を消火する蓋部材５を設けたものである。
【００６１】
上記構成によれば、ろうそく立て１の上部に設けた排出口３３ａからろうそくＣで暖められた空気が排出されるため、ろうそく立て１が煙突効果を持つことになり、ろうそくＣを適切に燃焼させることができ、またその排出口３３ａを閉鎖する蓋部材５を設けることで、その空気の流れを遮断して、簡単にろうそくＣの炎を消火することができる。
【００６２】
また、この実施態様では、前記ろうそく立て１を透明円筒部材３２で構成すると共に、該透明円筒部材３２の下部にショットピーニングによるスモーク部３２ａを形成したものである。
【００６３】
上記構成によれば、スモーク部３２ａを設けたことにより、ろうそくＣの炎の輝きが一段と美しく見え、また、前記ろうそく支持部材４を隠すことができるため、ろうそくＣと炎だけが見え、すっきり感を感じさせることができる。
【００６４】
以上の実施形態と、この考案の構成との対応において、実施形態の差込ピン部４１は、針状固定部に対応し、
以下同様に、
円筒保持部４２は、筒状保持部に対応し、
螺合係合部４４は、着脱固定部に対応するも、
この考案は、上述の実施形態の構成のみに限定されるものではなく、多くの実施の形態を得ることができるものである。
【図面の簡単な説明】
【００６５】
【図１】ろうそく立て全体を示す正面図。
【図２】ろうそく立ての断面を示す断面図。
【図３】ろうそく立て下部の一部断面とされた詳細構造図。
【図４】ろうそく立て下部の平面図。
【図５】ろうそく支持部材の（ａ）平面図と（ｂ）正面図。
【符号の説明】
【００６６】
１…ろうそく立て
４１…差込ピン部（針状固定部）
４２…円筒保持部（筒状保持部）
４４…螺合係合部（着脱固定部）
【図１】
0003102269.tif 000003
【図２】
0003102269.tif 000004
【図３】
0003102269.tif 000005
【図４】
0003102269.tif 000006
【図５】
0003102269.tif 000007